(57)【要約】【課題】非接触型ＩＣカードを保持した状態にて、綴具により複数綴じることができる磁性シート、および、この磁性シートを複数綴じてなり、使用する非接触ＩＣカードを選択的に変更することを可能とする非接触型データ受送信体ホルダーを提供する。【解決手段】本発明の非接触型データ受送信体ホルダー２０は、金属基材１１と、金属基材１１の両面にそれぞれ設けられた第一磁性層１２および第二磁性層１３とからなる積層シート１４を備え、第一磁性層１２の金属基材１１と接する面とは反対の面側、および、第二磁性層１３の金属基材１１と接する面とは反対の面側に非接触型データ受送信体の保持部が設けられ、積層シート１４の厚み方向に貫通孔１８が穿設された磁性シート１０を、貫通孔１８に挿通または係止した綴具２１により複数綴じてなることを特徴とする。【選択図】図２
2009032162.tif 000002
【特許請求の範囲】
【請求項１】
金属基材と、該金属基材の両面にそれぞれ設けられた第一磁性層および第二磁性層とからなる積層シートを備えた磁性シートであって、
前記第一磁性層の前記金属基材と接する面とは反対の面側、および、前記第二磁性層の前記金属基材と接する面とは反対の面側に非接触型データ受送信体の保持部が設けられ、前記積層シートの厚み方向に貫通孔が穿設されたことを特徴とする磁性シート。
【請求項２】
請求項１に記載の磁性シートを、前記貫通孔に挿通または係止した綴具により複数綴じてなることを特徴とする非接触型データ受送信体ホルダー。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波を媒体とし、非接触状態にて、外部から情報を受信し、また外部に情報を送信できるようにした非接触型ＩＣカードなどの非接触型データ受送信体を収納することができるとともに、非接触型データ受送信体に対して情報の書込／読出の誤りを防止するための磁性シートおよびこれを備えた非接触型データ受送信体ホルダーに関し、特に、複数の非接触型データ受送信体を保持した状態で、所望の非接触型データ受送信体に対する情報の書込／読出を可能とする磁性シートに関する。
【背景技術】
【０００２】
非接触型データ受送信体の一例である非接触型ＩＣカードは、基材と、その一方の面に設けられ互いに接続されたアンテナおよびＩＣチップとから構成されるインレットを備えており、情報書込／読出装置からの電磁波を受信すると共振作用によりアンテナに起電力が発生し、この起電力により非接触型ＩＣカード内のＩＣチップが起動し、このＩＣチップ内の情報を信号化し、この信号が非接触型ＩＣカードのアンテナから発信される。
非接触型ＩＣカードから発信された信号は、情報書込／読出装置のアンテナで受信され、コントローラーを介してデータ処理装置へ送られ、識別などのデータ処理が行われる。
【０００３】
近年、このような非接触型ＩＣカードは、電車やバスなどの公共交通機関の定期券や乗車券、コンビニエンスストアやスーパーストアなどの小売店における電子マネーとしての用途が拡大しつつある。それに伴って、個人が所有する非接触型ＩＣカードの枚数も増加する傾向にある。
通常、非接触型ＩＣカードは、必要に応じて財布や定期入れなどから取り出して使用されるか、あるいは、財布や定期入れなどの中に収納した状態で使用される。特に、複数の非接触型ＩＣカードを、財布や定期入れなどの中に重ねたまま収納した状態で使用すると、非接触型ＩＣカードに誤って情報の書込／読出が行われることがあるという問題があった。
【０００４】
そこで、従来、複数の非接触型ＩＣカードをそれぞれ収納する複数のカード収納部を備え、カード収納部間に隔壁部を設けるとともに、隔壁部に導電体部を設け、かつ隔壁部に導電体部を挟んで第１および第２の磁性体を設けた非接触型ＩＣカードホルダーが開示されている（例えば、特許文献１参照）。
【特許文献１】特許第３６３０００６号公報
【発明の開示】
【発明が解決しようとする課題】
【０００５】
しかしながら、特許文献１に開示されている非接触型ＩＣカードホルダーでは、その折り込み方向を選択的に変更することにより、非接触ＩＣカードの使用の可否、または、使用する非接触ＩＣカードを選択的に変更することができないという不便さがあった。
【０００６】
本発明は、前記事情に鑑みてなされたものであって、非接触型ＩＣカードを保持した状態にて、綴具により複数綴じることができる磁性シート、および、この磁性シートを複数綴じてなり、使用する非接触ＩＣカードを選択的に変更することを可能とする非接触型データ受送信体ホルダーを提供することを目的とする。
【課題を解決するための手段】
【０００７】
本発明の磁性シートは、金属基材と、該金属基材の両面にそれぞれ設けられた第一磁性層および第二磁性層とからなる積層シートを備えた磁性シートであって、前記第一磁性層の前記金属基材と接する面とは反対の面側、および、前記第二磁性層の前記金属基材と接する面とは反対の面側に非接触型データ受送信体の保持部が設けられ、前記積層シートの厚み方向に貫通孔が穿設されたことを特徴とする。
【０００８】
本発明の非接触型データ受送信体ホルダーは、本発明の磁性シートを、前記貫通孔に挿通または係止した綴具により複数綴じてなることを特徴とする。
【発明の効果】
【０００９】
本発明の磁性シートは、金属基材と、該金属基材の両面にそれぞれ設けられた第一磁性層および第二磁性層とからなる積層シートを備えた磁性シートであって、前記第一磁性層の前記金属基材と接する面とは反対の面側、および、前記第二磁性層の前記金属基材と接する面とは反対の面側に非接触型データ受送信体の保持部が設けられ、前記積層シートの厚み方向に貫通孔が穿設されたので、保持部により第一磁性層側の面および第二磁性層側の面に非接触型データ受送信体を保持した状態で、磁性シートを、その貫通孔に挿通または係止した綴具により複数綴じることができる。
【００１０】
本発明の非接触型データ受送信体ホルダーは、本発明の磁性シートを、前記貫通孔に挿通または係止した綴具により複数綴じてなるので、各磁性シートを捲って、所望の磁性シートを外面（最表面）に配することにより、各磁性シートの両面に保持した非接触型データ受送信体のいずれか一方を選択的に使用することができる。
【発明を実施するための最良の形態】
【００１１】
本発明の磁性シートおよびこれを備えた非接触型データ受送信体ホルダーの最良の形態について説明する。
なお、この形態は、発明の趣旨をより良く理解させるために具体的に説明するものであり、特に指定のない限り、本発明を限定するものではない。
【００１２】
「磁性シート」
図１は、本発明の磁性シートの一の実施形態を示す概略図であり、（ａ）は平面図、（ｂ）は（ａ）のＡ−Ａ線に沿う断面図である。
この実施形態の磁性シート１０は、金属基材１１、および、この金属基材１１の一方の面１１ａに設けられた第一磁性層１２および他方の面１１ｂに設けられた第二磁性層１３からなる積層シート１４と、この積層シート１４を挟み、その表面全面を被覆する第一被覆材１５および第二被覆材１６と、非接触型データ受送信体を保持する保持部１７とから概略構成されている。
【００１３】
また、保持部１７は、第一被覆材１５の表面１５ａ、すなわち、第一磁性層１２の金属基材１１と接する面とは反対の面側、および、第二被覆材１６の表面１６ａ、すなわち、第二磁性層１３の金属基材１１と接する面とは反対の面側に、三角形の袋状をなして設けられている。
さらに、磁性シート１０の四隅の１箇所には、磁性シート１０（積層シート１４）の厚み方向に貫通孔１８が穿設されている。
【００１４】
金属基材１１としては、アルミニウム、銀、銅などの金属からなるフィルム状、シート状、繊維状の金属を編んで作製した布状のものなどが用いられる。
【００１５】
第一磁性層１２、第二磁性層１３をなす複合体は、磁性微粒子からなるフィラーと、樹脂とから概略構成されている。
この複合体は、磁性微粒子からなるフィラーと、樹脂と、添加剤と、溶媒とを含む磁性塗料を塗布、乾燥することによって、磁性微粒子がほぼ均一に分散した形態に成形される。
【００１６】
また、磁性微粒子としては、粉末状の磁性体粉末、または、この磁性体粉末をボールミルなどで微細化して粉末を成形した後、この粉末を機械的に扁平化して得られた扁平状のフレークなどからなる磁性体フレークが挙げられる。これらの中でも、磁性微粒子としては、扁平状のものが好ましい。磁性微粒子が扁平状であれば、磁性シート１０を第一被覆材１５または第二被覆材１６の表面側から見て、第一磁性層１２、第二磁性層１３を構成する多数の磁性微粒子が、少なくともその一部が互いに重なり、隣接した１つの磁性体を形成しやすい。したがって、より磁束が第一磁性層１２、第二磁性層１３を通って、この磁性シート１０の第一被覆材１５または第二被覆材１６側に配された非接触型データ受送信体のアンテナに捕捉され易くなる。
【００１７】
さらに、磁性体粉末としては、例えば、センダスト（Ｆｅ−Ｓｉ−Ａｌ合金）粉末、カーボニル鉄粉末、パーマロイなどのアトマイズ粉末、還元鉄粉末などが挙げられる。磁性体フレークとしては、例えば、前記磁性体粉末をボールミルなどで微細化して粉末を成形した後、この粉末を機械的に扁平化して得られたフレークや、鉄系またはコバルト系アモルファス合金の溶湯を水冷銅板に衝突させて得られたフレークなどが挙げられる。これらの中でも、磁性微粒子としては、センダストからなる磁性体粉末または磁性体フレークが好ましく、センダストからなる磁性体フレークがより好ましい。磁性微粒子が、センダストからなる磁性体粉末または磁性体フレークであれば、これらを構成要素として含む第一磁性層１２、第二磁性層１３の飽和磁束密度および透磁率が高くなるので、より磁束が磁性層を通ってアンテナに捕捉され易くなる。
【００１８】
なお、第一磁性層１２、第二磁性層１３をなす磁性微粒子の形状は、その全てが粉末状あるいは扁平状のいずれか一方である必要はない。第一磁性層１２、第二磁性層１３には、粉末状の磁性微粒子と扁平状の磁性微粒子が混在していてもよく、このように形状の異なる磁性微粒子が混在していても、磁性シート１０は十分に効果を発揮する。
【００１９】
第一磁性層１２、第二磁性層１３をなす複合体を構成する樹脂としては、熱可塑性樹脂、熱硬化性樹脂、反応型樹脂などが挙げられる。
熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン・プロピレン共重合体ゴムなどのポリマー系の合成ゴム材料などが挙げられる。
【００２０】
熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００２１】
また、第一磁性層１２、第二磁性層１３をなす複合体には、第一磁性層１２、第二磁性層１３に粘着性を付与するために、各種粘着剤が含まれていてもよい。
【００２２】
また、第一磁性層１２、第二磁性層１３をなす複合体を形成するために用いられる磁性塗料に含まれる添加剤としては、粘度調整剤、消泡剤、レベリング剤などが挙げられる。
【００２３】
さらに、この磁性塗料に含まれる溶媒としては、シクロヘキサノン、アセトン、ベンゼン系、エチル系などの有機溶媒が挙げられる。
【００２４】
第一被覆材１５、第二被覆材１６としては、透明あるいは不透明の熱可塑性樹脂からなるフィルム状あるいはシート状のものが用いられる。このような熱可塑性樹脂としては、例えば、ポリエチレンテレフタレート（ＰＥＴ）などのポリエステル系樹脂、ポリカーボネート系樹脂、ポリアミド系樹脂、ポリプロピレン（ＰＰ）やポリエチレン（ＰＥ）などのポリオレフィン系樹脂、アクリル系樹脂などが挙げられる。
【００２５】
保持部１７は、第一被覆材１５の表面１５ａおよび第二被覆材１６の表面１６ａに、熱可塑性樹脂からなるフィルム状あるいはシート状の基材を融着または接着して設けられたものである。この基材をなす熱可塑性樹脂としては、第一被覆材１５および第二被覆材１６をなす熱可塑性樹脂と同様のものが用いられる。
【００２６】
この実施形態の磁性体シート１０を製造するには、先ず、スピンコート法、ロールコート法、スプレーコート法、バーコート法、ディップコート法、フローコート法などの塗布方法により、金属基材１１の一方の面１１ａおよび他方の面１１ｂに、上記の磁性体粉末を含有する磁性塗料を塗布して塗膜を形成する。
次いで、この塗布膜を、大気中にて乾燥するか、あるいは、乾燥・熱処理し、第一磁性層１２、第二磁性層１３を形成し、金属基材１１、第一磁性層１２および第二磁性層１３からなる積層シート１４を作製する。
【００２７】
次いで、第一被覆材１５と第二被覆材１６により、この積層シート１４を挟み込んだ後、（１）積層シート１４、第一被覆材１５および第二被覆材１６から構成される積層物を、熱圧処理し、第一被覆材１５と第二被覆材１６を融着するか、あるいは、（２）積層シート１４と、第一被覆材１５および第二被覆材１６との間に介在させた接着剤を加熱、紫外線照射、電子線照射、エージング〔放置して時間とともに硬化反応をさせていくこと〕処理などにより硬化する、ことにより、積層シート１４、第一被覆材１５および第二被覆材１６を一体化する。
次いで、第一被覆材１５の一面１５ａ、および、第二被覆材１６の一面１６ａに、熱可塑性樹脂からなるフィルム状あるいはシート状の基材を融着または接着して保持部１７を形成する。
さらに、積層シート１４、第一被覆材１５および第二被覆材１６を一体化してなる積層体の厚み方向に貫通孔１８を穿設し、磁性シート１０が得られる。
【００２８】
この実施形態の磁性シート１０によれば、フィルム状あるいはシート状の金属基材１１、磁性塗料により形成された第一磁性層１２および第二磁性層１３、並びに、熱可塑性樹脂からなる第一被覆材１５および第二被覆材１６から構成され、第一被覆材１５の表面１５ａおよび第二被覆材１６の表面１６ａに保持部１７が設けられ、磁性シート１０の四隅の１箇所には、その厚み方向に貫通孔１８が穿設されているので、保持部１７により第一被覆材１５の表面１５ａ（第一磁性層１２側の面）および第二被覆材１６の表面１６ａ（第二磁性層１３側の面）に非接触型データ受送信体を保持した状態で、磁性シート１０を、その貫通孔１８に挿通または係止した綴具により複数綴じることができる。
【００２９】
なお、この実施形態では、第一被覆材１５と第二被覆材１６により、積層シート１４を挟み込んでなる磁性シート１０を例示したが、本発明の磁性シートはこれに限定されない。本発明の磁性シートは、積層シートのみからなる構成であってもよい。
また、この実施形態の磁性シート１０には、第一磁性層１２の外面（第一被覆材１５と接する面）または第二磁性層１３の外面（第二被覆材１６と接する面）に、それぞれを識別するための印刷情報を設けておいてもよい。
【００３０】
また、この実施形態では、磁性シート１０の四隅の１箇所に、その厚み方向に円形状の貫通孔１８が穿設されている形態を例示したが、本発明の磁性シートはこれに限定されない。本発明の磁性シートにあっては、磁性シートの一辺（短辺または長辺）に沿って、磁性シートの厚み方向に複数の貫通孔が所定の間隔を置いて穿設されていてもよい。また、貫通孔の形状は、三角形状、四角形状、矩形状などであってもよく、さらに、これらの形状をなす主部と、この主部から磁性シートの外縁に向けて形成されたスリット部とからなる形状であってもよい。貫通孔の形状を、主部とスリット部とからなる形状とすれば、貫通孔に綴具を押し込んで係止することにより、磁性シートを複数綴じることができる。
【００３１】
「非接触型データ受送信体ホルダー」
図２は、本発明の非接触型データ受送信体ホルダーの一実施形態を示す概略断面図である。図３は、本発明の非接触型データ受送信体ホルダーの一実施形態を示す概略斜視図である。なお、図２、３では、図面を見やすくするために、図１に示した第一被覆材１５および第二被覆材１６を省略している。
この実施形態の非接触型データ受送信体ホルダー２０は、上記の磁性シート１０を、その四隅の１箇所に穿設された貫通孔１７に挿通した綴具２１により３つ綴じてなるものである。
【００３２】
綴具２１としては、一般的に、バインダー、システム手帳などに用いられる、金属製またはプラスチック製のリング状の綴じ具、綴じ紐などが用いられる。
【００３３】
次に、図２および３を参照して、この実施形態の非接触型データ受送信体ホルダーの作用について、非接触型データ受送信体として、非接触型ＩＣカードを複数枚使用する場合を例に挙げて説明する。
【００３４】
（第一の使用方法）
３つの磁性シート１０（１０Ａ、１０Ｂ、１０Ｃ）を、この順に綴具２１により綴じる。
非接触型ＩＣカード３１、３２、３３の四隅を、各磁性シート１０の第一磁性層１２側に設けた保持部１８に差し込んで、非接触型ＩＣカード３１、３２、３３を１つずつ、それぞれの磁性シート１０（１０Ａ、１０Ｂ、１０Ｃ）の第一磁性層１２側の面に保持する。同様に、非接触型ＩＣカード３４、３５、３６を１つずつ、それぞれの磁性シート１０（１０Ａ、１０Ｂ、１０Ｃ）の第二磁性層１３側の面に保持する
【００３５】
ここで、例えば、磁性シート１０Ａに保持した非接触型ＩＣカード３１を使用する場合には、綴具２１に沿って磁性シート１０を捲り、非接触型ＩＣカード３１が外面（最表面）になるように、磁性シート１０Ａを配する。
【００３６】
この状態で、非接触型ＩＣカード３１に情報書込／読出装置のアンテナを対向させると、非接触型ＩＣカード３１の背面には第一磁性層１２が存在するので、情報書込／読出装置からの電磁誘導により非接触型ＩＣカード３１のアンテナに電流が流れる。
そして、非接触型ＩＣカード３１のアンテナを流れる電流が、非接触型ＩＣカード３１のＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
【００３７】
一方、磁性シート１０Ｃに保持した非接触型ＩＣカード３６に情報書込／読出装置のアンテナを対向させると、非接触型ＩＣカード３６の背面には第二磁性層１３が存在するので、この非接触型ＩＣカード３６に対して、情報の書込／読出を行うことができる。
【００３８】
また、磁性シート１０Ｂに保持した非接触型ＩＣカード３２、３５に情報書込／読出装置のアンテナを対向させても、非接触型ＩＣカード３２、３５と情報書込／読出装置のアンテナの間には金属基材１１が存在するため、この非接触型ＩＣカードに対して、情報の書込／読出がなされることはない。
【００３９】
この実施形態の非接触型データ受送信体ホルダー２０によれば、３つの磁性シート１０Ａ、１０Ｂ、１０Ｃを、この順に綴具２１により綴じてなるものであるので、各磁性シート１０を捲って、所望の磁性シート１０を外面（最表面）に配することにより、磁性シート１０Ａ、１０Ｂ、１０Ｃのそれぞれの両面に保持した非接触型ＩＣカードのいずれか一方を選択的に使用することができる。
【００４０】
なお、この実施形態では、磁性シート１０の四隅の１箇所に穿設した貫通孔１８に、綴具２１を挿通して、３つの磁性シート１０を綴じてなる非接触型データ受送信体ホルダー２０を例示したが、本発明の非接触型データ受送信体ホルダーはこれに限定されない。本発明の非接触型データ受送信体ホルダーにあっては、磁性シートを２つ、あるいは、４つ以上綴じていてもよい。４つ以上の組を綴じてなる非接触型データ受送信体ホルダーにあっても、その使用方法および作用・効果は、上述の実施形態と同様である。
【００４１】
また、本発明の非接触型データ受送信体ホルダーは、図４に示す非接触型データ受送信体ホルダー５０のように、磁性シート４０の一辺（短辺または長辺）に沿って穿設された複数の貫通孔４８に綴具５１を挿通して、磁性シート４０を複数綴じてなるものであってもよい。
【図面の簡単な説明】
【００４２】
【図１】本発明の磁性シートの一の実施形態を示す概略図であり、（ａ）は平面図、（ｂ）は（ａ）のＡ−Ａ線に沿う断面図である。
【図２】本発明の非接触型データ受送信体ホルダーの一実施形態を示す概略断面図である。
【図３】本発明の非接触型データ受送信体ホルダーの一実施形態を示す概略斜視図である。
【図４】本発明の非接触型データ受送信体ホルダーの他の実施形態を示す概略斜視図である。
【符号の説明】
【００４３】
１０・・・磁性シート、１１・・・金属基材、１２・・・第一磁性層、１３・・・第二磁性層、１４・・・積層シート、１５・・・第一被覆材、１６・・・第二被覆材、１７・・・保持部、１８・・・貫通孔、２０・・・非接触型データ受送信体ホルダー、２１・・・綴具。
【図１】
2009032162.tif 000003
【図２】
2009032162.tif 000004
【図３】
2009032162.tif 000005
【図４】
2009032162.tif 000006